(57)【特許請求の範囲】
【請求項１】
軸方向を境として外面を２色以上に色分けした長尺棒状の回転体（３）の複数個を、透明筒体（１）の内部空間（１３）における透明筒体（１）軸の周囲に周回配置し、かつ回転体（３）の軸周りに軸支して把持体（６）に取り付けると共に、各回転体（３）には外周面色として看取される彩色を同一とする同期軸回転手段（４）を設け、２色以上の発光色からなる複数個の発光素子（５０）を前記外周面付近に配置し、前記同期軸回転手段（４）に連動して同一発光色毎に発光素子（５０）を切り替えて点灯させる切替え操作手段（５１、５２）を設けたことを特徴とした携帯用多色表示体。
【発明の詳細な説明】
【０００１】
【産業上の利用分野】
本願発明は、道路、駐車場、工事現場等における交通誘導を目的として誘導者が手に持って合図をするための棒状の携帯用表示体に関し、特に、色分け表示、または発色表示して明確な合図を送るための携帯用多色表示体に関する。
【０００２】
【従来の技術とその課題】
携帯用表示体は、表示部に着色を施したり、さらには電球や発光ダイオード等の発光手段を内蔵して表示部を発光させたりする構成のものが従来から存している。誘導者は表示部の一端側の把持体を持ち、表示部側を振るなどして合図を送り、進めや止まれの合図を、その振り方によって区別するようにしているのが現状であった。
【０００３】
しかし、着色には主に、赤色が施されることが多く、この赤色光は、赤信号に相当するため停止や止まれの合図としては良いが、対面交互通行時などの誘導時には、進んで良いのか、停止するのかが判断し難い場合も多々あった。
【０００４】
そこで、最近では、表示部を着色透光性の材料で形成して、内部に多色発光手段を配置して赤色や青色などに切替え発光させる方式のものや、白色光の発光体に対して赤や青の透過色カバーを組み合わせることで、透過色を赤や青などに切り替えて、停止や進めの合図等とする表示体も登場している。
【０００５】
しかしながら、上記従来の構成の表示体は、日中の屋外において点灯状態で機能させるものではなく点灯させない状態では赤色の誘導棒として機能するのみであり、昼間は赤と青の手旗等に持ち替えて、停止や進めの合図等を行っていた。明け方や夕方においては周囲の明るさとの兼ね合いで発光式の携帯用表示体と二色手旗のどちらを使用するかの判断が難しく、昼夜を問わず２色切替え表示を可能とする携帯用多色表示体として便益なものは少なかった。
【０００６】
【目的】
そこで本願発明は、上記のような従来の課題に鑑みてなされたものであり、誘導者による明確な指示を可能にすると共に、昼夜を問わずに多色表示を用いた誘導作業により明確な表示を行うことを目的とする新規な携帯用多色表示体を提供するものである。
【０００７】
【課題を解決するための手段】
上記課題を解決するため、本願発明に係る携帯用多色表示体は以下のように構成している。
すなわち、第１構成では、軸方向を境として外面を２色以上に色分けした長尺棒状の回転体（３）の複数個を、透明筒体（１）軸の周囲に周回配置し、かつ回転体（３）の軸周りに軸支して把持体（６）に取り付けると共に、各回転体（３）には外周面色として看取される彩色を同一とする同期軸回転手段（４）を設けたことを特徴とする。
【０００８】
第２構成では、第１構成における複数個の回転体（３）で構成された円筒状の外周面を、透明筒体（１）で覆ったことを特徴とする。
【０００９】
第３構成では、第１構成、または第２構成における複数個の回転体（３）で構成された円筒状の外周面付近に、２色以上の発光色からなる複数個の発光素子（５０）を配置したことを特徴とする。
【００１０】
第４構成では、第３構成における同一発光色毎に発光素子（５０）を切り替えて点灯させる切替え操作手段（５１、５２）と、回転体（３）の同期軸回転手段（４）を連動させたことを特徴とする。
【００１１】
なお、上記において付した符号は本願発明の理解を容易ならしめるために付したものであり、これにより本願発明を限定的に捉えてはならない。
【００１２】
【発明の実施の形態】
以下に本願発明に係る携帯用多色表示体について図面に基づき詳細に説明する。図１は本実施形態における携帯用多色表示体の外観図であり、図２は本実施形態における携帯用多色表示体の分解斜視図であり、図３は本実施形態における携帯用多色表示体のＡＡ’線断面図であり、図４は本実施形態における携帯用多色表示体のＢＢ’線断面図である。
【００１３】
本実施形態の携帯用多色表示体Ｌ（以下、「表示体」と省略。）は、長尺円筒状に形成され、その略中間部より上側を透明筒体１とし、透明筒体１の下側を把持体６としている。
【００１４】
透明筒体１は、無色透明の樹脂を用いて成型した中空円筒体であり、その上下端および略中間部には、上蓋体１０、下蓋体１１、保持板１２を各々取り付けている。
また、透明筒体１の内部空間１３には同軸上に保持軸２を配設しており、保持軸２の下側部分は下蓋体１１を貫通させて下方に延出させている。
【００１５】
さらに、透明筒体１の内部空間１３には昼間表示用の発色部３と、夜間表示用の発光部５を配設している。
発色部３は、回転軸３０、発色体３１、回転手段４とから主に構成している。回転軸３０は、透明筒体１の内部空間１３における保持軸２の周囲に６０°間隔で周回配置した６本の円柱体であり、上蓋体１０、下蓋体１１、および保持板１２により軸支している。発色体３１は回転軸３０を内包する同軸円筒体であり、その直径は相互に接触しない最大径程度としており、内部空間１３における発色体３１の側周面３１ａは、赤と青に１８０°ずつ色分けしている。
【００１６】
また、側周面３１ａにおける色の境界線に沿って表裏を各側周面３１ａと同色にし、隣接する発色体３１と接触しない程度の高さとした軟質樹脂製のフィン３１ｂを立設して、発色体３１同士の隙間から裏面側の色が見えないようにしている。回転軸３０の下側部分は下蓋体１１を貫通させて下方に延出すると共に、先端側には９０°毎に外歯を設けてピニオンギヤ３０ａとしている。
【００１７】
回転手段４は、下蓋体１１の下側において保持軸２に軸支した内歯歯車４０ａを有する環状体４０としている。環状体４０は、６本の回転軸３０に対して外挿させて、内歯歯車４０ａをピニオンギヤ３０ａに噛合しており、正逆方向への環状体４０の所定角度の回転により６本の回転軸３０を回転させて透明筒体１側に赤と青を相互表示させるものである。また、環状体４０の外周側には回転操作を行い易くするために上下に拡幅した手回し部４１を形成している。
【００１８】
発光部５は、発光素子５０、点灯スイッチ５１および切替スイッチ５２とから構成している。発光素子５０は赤色の発光ダイオードからなる上下一列の赤発光素子群５０ａと緑色の発光ダイオードからなる上下一列の青発光素子群５０ｂを交互に隣接配置してなり、発光素子５０は透明筒体１と回転軸３０とによって区画される空間の上下間に６０°間隔で周回配置したものである。
【００１９】
点灯スイッチ５１は発光素子５０の点灯、消灯を行い、切替スイッチ５２は点灯時における赤または青発光を切り替えるためのスイッチであって、発光素子５０と後述する電源収納部６０との間に直列に接続している。本実施形態では、点灯スイッチ５１を把持体６に設けると共に、切替スイッチ５２は手回し部４１に組み込んでおり、手回し部４１の回転による発色部３における赤、青の表示と連動して赤発光素子群５０ａと青発光素子群５０ｂを切り替えて点灯させるようにしている（配線省略）。
【００２０】
把持体６は、保持軸２の先端側に取り付けた円筒体であり、誘導者が把持する部分である。また、把持体６の内部には発光部５の電源収納部６０を設けて一次電池や二次電池などからなる電源を収納している。
【００２１】
【本実施形態の作用】
上記構成により本実施形態の携帯用多色表示体は以下のように作用する。まず、昼間時においては、「一時停止」等の制止を促す場合には、手回し部４１を回転させて発色体３１の透明筒体１側を赤にすると外部からは赤が透けて見えるようになるので、この状態で誘導作業を行えばよい。「進め」等の通過を促す場合には、手回し部４１を逆方向に回転させて発色体３１の透明筒体１側を青にした状態で誘導作業を行えばよい。なお、発色体３１の回転によりフィン３１ｂ同士が接触してもフィン３１ｂは軟質樹脂であるため、発色体３１の回転に影響はなくフィン３１ｂは元通りに復元するため、裏面側の色が見えることはない。
【００２２】
夜間においては、点灯スイッチ５１を点灯とした状態で、上記操作を行うことで、発色体３１の色と同色の発光素子群５０ａ、５０ｂが点灯するので、夜間であっても昼間時と同様に「一時停止」や「進め」等の誘導作業が確実に行われることとなる。
【００２３】
【他の実施形態の可能性】
本実施形態における発色体３１は、回転軸３０を内包する同軸の円筒体としているが、回転軸３０の１８０°、１２０°毎に配置した２枚フィン７、３枚フィン８からなる発色体とし、２枚フィン７、３枚フィン８同士による各区画毎に異なる色を配し、保持軸２の周りに正六角形、正八角形に回転軸３０を配置することもできる（図５ａ、図５ｂ）。
【００２４】
なお、３枚フィン８とした場合には、発光素子を３色構成にして、３種類の信号色を発する携帯用多色表示体とすることも可能である。さらに、発光素子５０の点灯スイッチ５１は、手動操作により点灯／消灯を行うようにしているが、手動操作時の点灯／点滅の選択や光センサによる自動点灯／消灯の選択等を採用してもよい。
【００２５】
【効果】
本願発明の携帯用多色表示体は、昼夜を問わず赤青２色を認識することができるから、通行人、運転者等に誤認させることなく、確実に誘導者の指示目的に対応した注意喚起を行ない、円滑な誘導作業を行なうことが可能となる。特に、明け方や夕方におけるような周囲の明るさとの兼ね合いで、従来であれば表示体や手旗などのいずれかを選択する判断を行うことが難しい場合でも、昼夜を問わず赤青２色の表示による誘導作業を確実に行うことが可能となるなど、その効果は顕著なものである。
【図面の簡単な説明】
【図１】  本実施形態における携帯用多色表示体の外観図である。
【図２】  本実施形態における携帯用多色表示体の分解斜視図である。
【図３】  本実施形態における携帯用多色表示体のＡＡ’線断面図である。
【図４】  本実施形態における携帯用多色表示体のＢＢ’線断面図である。
【図５】  他の実施形態の発色部を示す説明図である。
【符号の説明】
Ｌ  表示体
１  透明筒体
１０  上蓋体
１１  下蓋体
１２  保持板
１３  内部空間
２  保持軸
３  発色部
３０  回転軸
３０ａ  ピニオンギヤ
３１  発色体
３１ａ  側周面
３１ｂ  フィン
４  回転手段
４０  環状体
４０ａ  内歯歯車
４１  手回し部
５  発光部
５０  発光素子
５０ａ  赤発光素子群
５０ｂ  青発光素子群
５１  点灯スイッチ
５２  切替スイッチ
６  把持体
６０  電源収納部
７  ２枚フィン
８  ３枚フィン
【図１】
0003693593.tif 000002
【図２】
0003693593.tif 000003
【図３】
0003693593.tif 000004
【図４】
0003693593.tif 000005
【図５】
0003693593.tif 000006